(57)【要約】【課題】非接触型無線カード用の複数のリードライト装置を、それぞれの生成する電磁界が他に影響を与えることなく近接配置可能な遊技設備機器を提供する。【解決手段】ビジターカード３５用の第１のリードライト装置４０が有するアンテナ４３の指向性と、会員カード３７用の第２のリードライト装置８０が有するアンテナ８２の指向性とが９０度相違するようにこれらのアンテナ４３、８２の向きを設定する。【選択図】図１
2006006501.tif 000002
【特許請求の範囲】
【請求項１】
電磁界を利用した非接触型無線カードのリードライト装置を複数備え、
隣り合う前記リードライト装置のアンテナ部の指向性を相互に異なる向きに設定した
ことを特徴とする遊技設備機器。
【請求項２】
隣り合う前記リードライト装置のアンテナ部の指向性を相互に９０度相違させる
ことを特徴とする請求項１に記載の遊技設備機器。
【請求項３】
隣り合う前記リードライト装置のカード挿入口を、これらのカード挿入口に挿入された非接触型無線カードの面が相互に垂直になる向きに設定した
ことを特徴とする請求項１または２に記載の遊技設備機器。
【請求項４】
隣り合うリードライト装置の一方が非接触型無線カードを複数枚積層して収容するカード収容部を備えたものである場合に、
前記一方のリードライト装置を、そのカード収容部に収容される非接触型無線カードが水平な状態で垂直方向に積層される向きにして配置した
ことを特徴とする請求項１、２または３に記載の遊技設備機器。
【請求項５】
当該遊技設備機器の前面が長方形を成し、
前記前面にカード挿入口が設けられ、
隣り合うリードライト装置の一方が非接触型無線カードを複数枚積層して収容するカード収容部を備えたものである場合に、
前記一方のリードライト装置を、そのカード収容部に積層して収容される非接触型無線カードの面が前記長方形を成す前面の長辺方向と垂直になる向きにして配置した
ことを特徴とする請求項１、２または３に記載の遊技設備機器。
【請求項６】
遊技機と遊技機との間に設置される台間遊技設備機器である
ことを特徴とする請求項１、２、３、４または５に記載の遊技設備機器。
【発明の詳細な説明】
【技術分野】
【０００１】
本発明は、パチンコ球を貸し出す台間機などの遊技設備機器に係わり、特に、電磁界を利用した非接触型無線カードを貸し出し代金の支払いなどに利用可能な遊技設備機器に関する。
【背景技術】
【０００２】
パチンコホールなどの遊技店では、会員登録を申し込んだ遊技者に会員カードを発行し、この会員カードを顧客管理や会員サービスの向上に利用している。たとえば、遊技機で遊技を行なう会員に、その遊技機に並設されている台間玉貸機へ会員カードを挿入してもらい、挿入された会員カードから遊技者の会員を特定し、遊技に係わる各種の情報を会員毎に収集してコンピュータで管理するようになっている。
【０００３】
また、台間玉貸機などの遊技設備機器では、遊技媒体の貸し出しに係わる料金の支払いを、現金もしくはプリペイドカードを利用して行なうようになっている。
【０００４】
このため、台間玉貸機などの遊技設備機器は、会員カード用のリードライト装置とプリペイドカード用のリードライト装置の２種類を内蔵している。
【０００５】
プリペイドカードは、データを書き換えて何度も使用可能な、いわゆるリサイクルカードになっており、残高がなくなると回収されて、新規に発行するビジターカードとして再利用されるようになっている。このようなリサイクルカードや会員カードには、ＲＦＩＤ（Ｒａｄｉｏ Ｆｒｅｑｕｅｎｃｙ ＩＤｅｎｔｉｆｉｃａｔｉｏｎ、電波方式非接触識別）方式の非接触型無線カードが多く使用される。
【０００６】
【特許文献１】特開２００１−３４８１５号公報
【発明の開示】
【発明が解決しようとする課題】
【０００７】
非接触型無線カードは、カードのリードライト装置が生成した電磁界を通じて電力の供給を受けるとともに、制御信号などを受信する。リードライト装置が生成する電磁界は、セットされたカードだけでなくその周囲にもある程度届いてしまう。したがって、会員カードとプリペイドカード（リサイクルカード）の２種類の非接触型無線カードのそれぞれに対応して２台のリードライト装置を遊技設備機器に内蔵する場合には、それぞれの生成する電磁界が他方に影響を与えないようにしなければならない。
【０００８】
一方、台間玉貸機などの遊技設備機器は、遊技機島に収容された遊技機と遊技機との間のわずかの隙間に設置するために前面の横幅が４０ミリ程度の薄型に構成される。このため、複数のリードライト装置をそれぞれの生成する電磁界が他に影響を与えないようにして配置することが難しいという問題があった。
【０００９】
本発明は、上記の問題を解決しようとする課題にするものであり、非接触型無線カード用の複数のリードライト装置を、それぞれの生成する電磁界が他に影響を与えることなく近接配置可能な遊技設備機器を提供することを目的とするものである。
【課題を解決するための手段】
【００１０】
請求項１に係わる発明は、電磁界を利用した非接触型無線カード（３５、３７）のリードライト装置（４０、８０）を複数備え、
隣り合う前記リードライト装置（４０、８０）のアンテナ部（４３、８２）の指向性を相互に異なる向きに設定した
ことを特徴とする遊技設備機器である。
【００１１】
上記発明によれば、隣り合うリードライト装置（４０、８０）のアンテナ部（４３、８２）の指向性が相互に異なる向きに設定される。通常、リードライト装置（４０、８０）のアンテナ部（４３、８２）は、定位置にセットされた非接触型無線カード（３５、３７）へ電力や信号を効率よく伝送するために、その指向性は、セットされた非接触型無線カード（３５、３７）の方向に設定される。
【００１２】
したがって、隣り合うリードライト装置（４０、８０）のアンテナ部（４３、８２）の指向性を相互に異なる向きに設定することで、各リードライト装置（４０、８０）のアンテナ部（４３、８２）の生成する電磁界が、隣りのリードライト装置（４０、８０）にセットされた非接触型無線カード（３５、３７）や隣りのリードライト装置（４０、８０）における信号受信に与える影響が低減され、隣り合うリードライト装置（４０、８０）の配置間隔を狭くすることが可能になる。
【００１３】
請求項２に係わる発明は、隣り合う前記リードライト装置（４０、８０）のアンテナ部（４３、８２）の指向性を相互に９０度相違させる
ことを特徴とする請求項１に記載の遊技設備機器である。
【００１４】
上記発明によれば、隣り合う前記リードライト装置（４０、８０）のアンテナ部（４３、８２）の指向性が、互いの影響を最も受け難い向きに設定される。
【００１５】
請求項３に係わる発明は、隣り合う前記リードライト装置（４０、８０）のカード挿入口（１９、２１）を、これらのカード挿入口（１９、２１）に挿入された非接触型無線カード（３５、３７）の面が相互に垂直になる向きに設定した
ことを特徴とする請求項１または２に記載の遊技設備機器である。
【００１６】
上記発明によれば、隣り合うカード挿入口（１９、２１）に挿入された非接触型無線カード（３５、３７）を各カード挿入口（１９、２１）から対応するリードライト装置（４０、８０）の定位置まで真っ直ぐに搬送するだけで、互いの電磁界の影響を最も受け難い位置関係に非接触型無線カード（３５、３７）がセットされる。たとえば、遊技設備機器の前面にカード挿入口（１９、２１）を設ける場合に、隣り合うカード挿入口の一方（１９）を水平方向に細長い矩形に開口し他方（２１）を垂直方向に細長い矩形に開口する。
【００１７】
請求項４に係わる発明は、隣り合うリードライト装置（４０、８０）の一方が非接触型無線カード（３５）を複数枚積層して収容するカード収容部（４１）を備えたものである場合に、
前記一方のリードライト装置（４０）を、そのカード収容部（４１）に収容される非接触型無線カード（３５）が水平な状態で垂直方向に積層される向きにして配置した
ことを特徴とする請求項１、２または３に記載の遊技設備機器である。
【００１８】
上記発明によれば、非接触型無線カード（３５）は、水平な状態で垂直方向に積層されてカード収容部（４１）に収容される。
【００１９】
請求項５に係わる発明は、当該遊技設備機器の前面が長方形を成し、
前記前面にカード挿入口（１９、２１）が設けられ、
隣り合うリードライト装置（４０、８０）の一方が非接触型無線カード（３５）を複数枚積層して収容するカード収容部（４１）を備えたものである場合に、
前記一方のリードライト装置（４０）を、そのカード収容部（４１）に積層して収容される非接触型無線カード（３５）の面が前記長方形を成す前面の長辺方向と垂直になる向きにして配置した
ことを特徴とする請求項１、２または３に記載の遊技設備機器である。
【００２０】
上記発明によれば、非接触型無線カード（３５）は、その面が遊技機設備機器の前面の長辺方向と垂直な状態で積層されてカード収容部（４１）に収容される。前面の短辺方向の長さに厳しい制限のある遊技設備機器においても、前面の長辺方向に非接触型無線カード（３５）を積層して収容することで収容可能枚数の増大が可能になる。
【００２１】
請求項６に係わる発明は、遊技機と遊技機との間に設置される台間遊技設備機器である
ことを特徴とする請求項１、２、３、４または５に記載の遊技設備機器である。
【発明の効果】
【００２２】
本発明に係わる遊技設備機器によれば、隣り合うリードライト装置のアンテナ部の指向性を相互に異なる向きに設定したので、各リードライト装置は隣りのリードライト装置が生成する電磁界の影響を受け難くなり、隣り合うリードライト装置を近接配置することが可能になる。
【００２３】
隣り合うリードライト装置のアンテナ部の指向性を相互に９０度相違させるものでは、各リードライト装置の生成する電磁界が隣りのリードライト装置に与える影響が最も低減される。
【００２４】
隣り合うリードライト装置のカード挿入口を、これらのカード挿入口に挿入された非接触型無線カードの面が相互に垂直になる向きに設定したものでは、隣り合うカード挿入口に挿入された非接触型無線カードを各カード挿入口から対応するリードライト装置の定位置まで真っ直ぐに搬送するだけで、互いの電磁界の影響を最も受け難い位置関係に非接触型無線カードがセットされるので、搬送部の構成を簡略化することができる。
【００２５】
隣り合うリードライト装置の一方が非接触型無線カードを複数枚積層して収容するカード収容部を備えたものである場合に、前記一方のリードライト装置を、そのカード収容部に収容される非接触型無線カードが水平な状態で垂直方向に積層される向きにして配置したものでは、遊技機と遊技機との間の隙間に設置される台間遊技設備機器のように横幅に厳しい制限のある遊技設備機器においても、カード収容部を垂直方向に延ばすことで非接触型無線カードの収容枚数の増加が可能になる。
【００２６】
非接触型無線カードをその面が遊技機設備機器の前面の長辺方向と垂直な状態で積層してカード収容部に収容するものでは、前面の短辺方向の長さに厳しい制限のある遊技設備機器においても、前面の長辺方向に非接触型無線カードを積層して収容することで収容可能枚数の増大が可能になる。
【００２７】
特に、遊技機と遊技機との間に設置される台間遊技設備機器は内部空間が狭いので、隣り合うリードライト装置の近接配置が可能になることで、内部配置の自由度が高まり、使い勝手やその他の目的に応じたレイアウトが可能になる。
【発明を実施するための最良の形態】
【００２８】
以下、図面に基づき本発明の実施の形態を説明する。
【００２９】
図２は、本発明の実施の形態に係わる遊技設備機器１０の遊技場における設置状態の一例を示している。遊技場内には、遊技機としてのパチンコ機３と、このパチンコ機３で使用するパチンコ球（遊技媒体）を遊技者に貸し出す遊技設備機器１０とを一組にしたものを多数並設して表裏両面に収容した遊技機島４が設けてある。隣り合うパチンコ機３同士の間隔は４０ミリであり、この狭い空間に遊技設備機器１０が収められる。
【００３０】
なお、遊技設備機器１０は、組み合わされているパチンコ機３にパチンコ球の払出信号を送出し、これを受けたパチンコ機３が自機の上皿５にパチンコ球を排出する、いわゆるＣＲサンド機として構成されている。
【００３１】
遊技設備機器１０は、パチンコ球の貸し出し用の代金や金銭価値などを遊技者が管理するためのカードとして、ビジターカードと、会員カードの２種類を取り扱うことができる。これらのカードはいずれも非接触型無線カードであり、情報を書き換え可能に記憶する機能を備えている。
【００３２】
ビジターカードは、使用者を特定しないプリペイド方式のカードであり、カードに登録されている残高分だけ、パチンコ球の貸し出しを受けることができる。また、ビジターカードは、データを書き換えて何度も使用可能な、いわゆるリサイクルカードであり、残高がなくなると回収され、新規に発行するビジターカードとして再利用されるようになっている。
【００３３】
会員カードは、持ち主の会員と１対１に対応付けされたカードであり、遊技設備機器１０へ挿入することで遊技者の会員が特定される。会員カードを投入することにより、その会員が保有している残高や貯玉の利用等が可能になる。
【００３４】
図３は、遊技設備機器１０の前面（正面）を示している。遊技設備機器１０はその前面が長方形を成しており、長方形の短辺が水平になるようにして設置される。遊技設備機器１０の前面には、上から下に向けて順に、状態表示ランプ１１と、紙幣挿排口１２と、度数表示部１３と、表示部１４と、操作部１５と、受光部１６と、キー穴１７と、ビジターカード確認ＬＥＤ１８と、ビジターカード挿入口１９と、会員カード確認ＬＥＤ２０と、会員カード挿入口２１とが設けられている。
【００３５】
状態表示ランプ１１は、遊技設備機器１０の運用状態を表示するランプである。紙幣挿排口１２は、パチンコ球の貸し出し代金となる紙幣の投入および投入された紙幣の返却を行なうための開口である。度数表示部１３は、使用中のカードの残高を表示するための表示部である。表示部１４は、再プレイ利用可能度数や会員情報など各種の情報が表示される表示部である。
【００３６】
操作部１５は、カードの残高から貸し出しに使用する金額や暗証番号などを入力するためのテンキーやその他の入力キーで構成される。受光部１６は、遊技場の係員が操作するリモコンが送出する光信号を受光するための受光窓である。キー穴１７は、遊技設備機器１０を手前に引き出し不能に遊技機島４に固定するロック機構を解除する鍵を挿入するための鍵穴である。
【００３７】
ビジターカード確認ＬＥＤ１８は、ビジターカードの状態を表示するためのランプである。ビジターカード挿入口１９はビジターカードの挿入および排出が行なわれる開口部である。ビジターカード挿入口１９は、ビジターカードを水平な状態で挿入するように、水平方向に細長い矩形状に開口している。すなわち、ビジターカード挿入口１９は、遊技設備機器１０の長方形を成す前面の短辺方向に細長い矩形状に開口している。
【００３８】
会員カード確認ＬＥＤ２０は、会員カードの状態表示を行なうランプである。会員カード挿入口２１は、会員カードの挿入および排出が行なわれる開口部である。会員カード挿入口２１は会員カードを垂直にして挿入するように、垂直方向に細長い矩形状に開口している。
【００３９】
図４は、遊技設備機器１０の左側面を示している。遊技設備機器１０の内部には、投入された紙幣の真偽や金額を判定する紙幣識別機３１や払い出しに係わる各種の制御を行なう制御基板３２、３３などが収容されている。また、遊技設備機器１０の背面には、パチンコ機３に払出信号を送出したり、遊技場の管理装置との間で売上げに係わるデータや会員情報などを送受信したりするための外部出力端子板３４が設けてある。
【００４０】
ビジターカード挿入口１９に対応する位置には、ビジターカードに対するリード／ライト機能やビジターカードをストックする機能を果たす第１のリードライト装置４０が取り付けてある。会員カード挿入口２１に対応する位置には、会員カードに対する情報の読み出しおよび書き込み書き換えを行なう第２のリードライト装置８０が設けてある。第１のリードライト装置４０の下方で第２のリードライト装置８０の奥手にはこれらの動作を制御するカード制御基板９０が設けてある。
【００４１】
図５は、ビジターカードの外観を示している。ビジターカード３５は、厚さ数ミリの扁平な長方形を成しており、その平面形状は、たとえば、長方形の短辺（幅）が約２５ｍｍ、長辺（長さ）が約６０ｍｍになっている。ビジターカード３５には、外部から電磁的に電力の供給を受けて動作するＩＣタグ３６とアンテナ３６ａが内蔵されている。ＩＣタグ３６は、ＲＦＩＤ（Ｒａｄｉｏ Ｆｒｅｑｕｅｎｃｙ ＩＤｅｎｔｉｆｉｃａｔｉｏｎ、電波方式非接触識別）方式を使用した無線ＩＣタグである。アンテナ３６ａは、アンテナ線を周回させたループアンテナになっている。
【００４２】
ＩＣタグ３６は、図示省略の電力生成部と、通信部と、書き換え可能な不揮発性メモリと、ＣＰＵ（中央処理装置）とを有している。ＩＣタグは、受信したデータを不揮発性メモリに書き込んだり、不揮発性メモリに記憶されているデータを読み出して無線送信したりする機能を備えている。
【００４３】
図６は、会員カードの外観を示している。会員カード３７は、厚さ数ミリの扁平な長方形を成しており、その平面形状は、たとえば、長方形の短辺（幅）が約４０ｍｍ、長辺（長さ）が約６０ｍｍになっている。会員カード３７はビジターカード３５と同様に、アンテナ３８ａと、ＲＦＩＤ方式のＩＣタグ３８とを内蔵している。アンテナ３８ａは、アンテナ線を周回させたループアンテナになっている。
【００４４】
図１は、第１のリードライト装置４０および第２のリードライト装置８０の概略構成を示している。第１のリードライト装置４０は、ビジターカード３５をその面が遊技機設備機器１０の長方形を成す前面の長辺方向と垂直になる状態で積層して収容するカード収容部４１を備えている。また第１のリードライト装置４０は、ビジターカード挿入口１９とカード収容部４１との間でビジターカード３５を水平な状態で真っ直ぐに搬送する搬送部４２と、その搬送経路の途中に設けられたアンテナ４３とを備えている。
【００４５】
カード収容部４１は、ビジターカード３５をその面が遊技設備機器１０の長方形を成す前面の長辺方向と垂直になる状態（ここでは、水平な状態）で積層して収容するための空間を構成する側壁部と天井部とを有し、下部は開放されている。
【００４６】
搬送部４２の搬送経路は、カード収容部４１の開放された下部に配置されて実質的にカード収容部４１の底部を成すアイドリングローラ４４および繰り出しローラ４５と、カード収容部４１とビジターカード挿入口１９と間に所定間隔を空けて配置された一対の搬送ローラ４６、４７とで構成される。各搬送ローラ４６、４７の上方には、これらの上面をバネで付勢されて押圧するピンチローラ４６ａ、４７ａがそれぞれ設けてある。
【００４７】
搬送ローラ４６、４７および繰り出しローラ４５は、モータ４８によりギア、プーリ、タイミングベルトを通じて回転駆動される。モータ４８を正転駆動するとビジターカード挿入口１９からカード収容部４１に向けてビジターカード３５が搬送され、逆転駆動するとカード収容部４１からビジターカード挿入口１９に向けてビジターカード３５が搬送されるようになっている。
【００４８】
搬送経路の途中には、搬送されるビジターカード３５の有無および位置を検知するための第１から第３のカードセンサ５１〜５３が設けて有る。これらは、発光部と受光部とを対向配置した透過型の光センサである。
【００４９】
カード収容部４１の下部には、カード収容部４１に収容されているビジターカード３５を上方に押し上げるカード上げ機構５４が設けてある。カード上げ機構５４は、ソレノイド５５によって駆動され、このソレノイド５５がオンの間、カード収容部４１に収容されているビジターカード３５を上方に押し上げ、繰り出しローラ４５と接触しない状態を形成するようになっている。カード収容部４１に収容されているビジターカード３５をカード上げ機構５４で上方に押し上げることで、モータ４８の駆動中にカード収容部４１からビジターカード３５が不必要に繰り出されたり、繰り出しローラ４５がビジターカード３５を不要に擦って痛めたりすることを防止するようになっている。
【００５０】
搬送ローラ４６と搬送ローラ４７との間の搬送経路の上方には、アンテナ４３が設置されている。アンテナ４３の直下の位置が、ビジターカード３５に第１のリードライト装置４０が情報を読み書きするためのアクセス位置になっている。
【００５１】
図７は、アンテナ４３を上方から見た平面図である。アンテナ４３は、同図に示すようにアンテナ線５６を周回させたコイル状のループアンテナであり、ループの面が水平になる（アクセス位置に停止したビジターカード３５と対向する）ように設置されている。
【００５２】
このアンテナ４３に、電流を図７の矢印Ａで示す向き（右回り）に流すと、右ねじの法則に従って磁場（磁界、電磁波）Ｂが発生する。
【００５３】
図８は、図７に示すアンテナ４３のＣ−Ｃ断面である。磁場Ｂはアンテナ４３の中央付近ではループの面とほぼ垂直な方向に向かっている。すなわち、アンテナ４３が生成する磁場Ｂは、アンテナ４３の中央付近ではループの面とほぼ垂直方向に指向性を持っている。アンテナ４３はループの面が水平になるように設置されているので、アンテナ４３が生成する磁場Ｂは垂直方向（鉛直方向）に指向性を持っている。
【００５４】
図１に示すように、第２のリードライト装置８０は、会員カード３７が定位置まで挿入されたことを検知するカード検知スイッチ８１と、アンテナ８２と、挿入された会員カード３７を定位置で固定する板ばね８３とを備えている。
【００５５】
アンテナ８２は、第１のリードライト装置４０のアンテナ４３と同様にアンテナ線を周回させたコイル状のループアンテナである。アンテナ８２は、ループの面が垂直になるように配置されており、発生する磁場はアンテナ８２の中心付近で水平方向に指向性を持っており、第１のリードライト装置４０のアンテナ４３と指向性が９０度相違するように設定されている。
【００５６】
図９は、カード制御基板９０の回路構成を示している。カード制御基板９０は、第１のリードライト装置４０および第２のリードライト装置８０の動作を統括制御するＣＰＵ（中央処理装置）９１と、ＣＰＵ９１の動作手順を表わしたプログラムや各種の固定データを記憶したＲＯＭ（リード・オンリ・メモリ）９２と、ＣＰＵ９１がＲＯＭ９２に格納されたプログラムを読み出して実行する際に各種データを一時的に記憶するＲＡＭ（ランダム・アクセス・メモリ）９３とを備えている。
【００５７】
ＣＰＵ９１には、Ｉ／Ｏユニット９４を介してモータドライバ９５と、ソレノイドドライバ９６と、センサアンプ９７と、第１通信ユニット９８、第２通信ユニット９９とが接続されている。このほか、ＣＰＵ９１は、制御基板３２、３３とも接続されており、各種の情報や指令を受け渡しするようになっている。第１通信ユニット９８には第１のリードライト装置４０のアンテナ４３が、第２通信ユニット９９には第２のリードライト装置８０のアンテナ８２がそれぞれ接続されている。
【００５８】
モータドライバ９５は、ＣＰＵ９１からの指示に従ってモータ４８に駆動信号を送出する。ソレノイドドライバ９６は、ＣＰＵ９１からの指示に従ってソレノイド５５に駆動信号を送出する。センサアンプ９７には第１から第３のカードセンサ５１〜５３やカード検知スイッチ８１などが接続され、各センサからの検出信号が入力される。
【００５９】
図１０は、第１のリードライト装置４０のアクセス位置にセットされたビジターカード３５とアンテナ４３との位置関係および磁場の様子を示す原理図である。図１０に示す各アンテナの形状や大きさは原理を説明するために適宜調整してある。
【００６０】
第１のリードライト装置４０のアンテナ４３で発生した磁場Ｂの変化により、カード側のアンテナには、図８に示した右ねじの法則と逆の現象（電磁誘導）がレンツの法則に従って生じ、誘導起電力が発生して電流が流れる。ある回路に発生する起電力の大きさは、その回路を通る磁束数が単位時間に変化する割合に比例する。また、磁束数は、回路のなす面を通る磁束の垂直成分である。したがって、第１のリードライト装置４０のアンテナ４３で発生した磁場Ｂとカード側のアンテナのループの面とが直交する位置関係のとき電磁誘導の効率が最も良くなり、磁場Ｂとカード側のアンテナのループの面とが平行になる位置関係のとき電磁誘導の効率が最も悪くなる。
【００６１】
第１のリードライト装置４０のアンテナ４３とビジターカード３５のアンテナ３６ａとは、アクセス位置においてアンテナのループの面が互いに平行に対向しており、第１のリードライト装置４０のアンテナ４３が生成した磁場Ｂは、ビジターカード３５のアンテナ３６ａのループの中をそのループの面と直交するように横切っている。上記したように、このような位置関係では、第１のリードライト装置４０のアンテナ４３で生成した磁場Ｂの変化に基づく電磁誘導（相互誘導作用）によってビジターカード３５のアンテナ３６ａに比較的効率良く誘導起電力が生じて電流が流れる。すなわち、第１のリードライト装置４０から送られた電力および信号は磁場Ｂを通じてビジターカード３５へ効率良く伝達される。
【００６２】
一方、第２のリードライト装置８０にセットされた会員カード３７およびそのアンテナ３８ａは、第１のリードライト装置４０のアンテナ４３に対して図１０の破線で示す位置関係にある。すなわち、第１のリードライト装置４０のアンテナ４３のループの面と会員カード３７のアンテナ３８ａのループの面とは直交する位置関係にあり、第１のリードライト装置４０のアンテナ４３で生成した磁場Ｂは、会員カード３７のアンテナ３８ａのループの中をほとんど横切らない。このような位置関係では、第１のリードライト装置４０のアンテナ４３で生成した磁場Ｂによる電磁誘導（相互誘導作用）によって会員カード３７のアンテナ３８ａに誘導起電力がほとんど発生せず、電流が流れない。
【００６３】
すなわち、ビジターカード３５のアンテナ３６ａの向きは、第１のリードライト装置４０のアンテナ４３が生成した磁場Ｂに基づく電磁誘導にとって最も効率の良い（相互インダクタンスが最も大きくなる）向きであり、会員カード３７のアンテナ３８ａは最も効率の悪い（相互インダクタンスが最も小さくなる）向きになっている。
【００６４】
同様に第２のリードライト装置８０のアンテナ８２と第２のリードライト装置８０にセットされた会員カード３７のアンテナ３８ａとは、互いのループの面が平行に対向して電磁誘導（相互誘導作用）にとって最も効率の良い位置関係にある。一方、第２のリードライト装置８０のアンテナ８２と第１のリードライト装置４０にセットされたビジターカード３５のアンテナ３６ａとはループの面が直交し、電磁誘導（相互誘導作用）にとって最も効率の悪い位置関係にある。
【００６５】
このように、第１のリードライト装置４０のアンテナ４３と第２のリードライト装置８０のアンテナ８２とは指向性が９０度相違しており、電磁界の影響（相互誘導作用）を相互に最も受け難い位置関係になっている。その結果、他方の生成した電磁界の影響を相互に受け難く、第１のリードライト装置４０と第２のリードライト装置８０とを近接配置することができる。
【００６６】
また、第１のリードライト装置４０を、そのカード収容部４１に収容されるビジターカード３５が水平な状態で垂直方向に積層される向きにして配置したので、横幅に厳しい制限のある遊技設備機器１０においても、カード収容部４１を垂直方向に延ばすことで多数のビジターカード３５を収容可能になっている。
【００６７】
次に、ビジターカード３５と会員カード３７に係わる遊技設備機器１０の動作を説明する。
【００６８】
遊技設備機器１０は、会員カード３７が第２のリードライト装置８０にセットされたことをカード検知スイッチ８１が検知すると、第２のリードライト装置８０のアンテナ８２に電流を流して電磁界（磁場）を生成し、セットされている会員カード３７に電力を供給する。また、会員カード３７のＩＣタグ３８に対する情報の読み出しおよび書き込みを行なう。たとえば、会員番号の読み出しや、残高情報や貯玉情報の更新が行なわれる。
【００６９】
また、遊技設備機器１０は、ビジターカード３５に関して、残高に基づく遊技媒体の貸し出しと、ビジターカード３５の新規発行と回収とを行なう。
【００７０】
遊技設備機器１０は、所定の条件下で紙幣挿排口１２に現金が投入されたとき、規定金額分のパチンコ球を払い出す。そして、つり銭があるときは、カード収容部４１から１枚のビジターカード３５を繰り出し、これをアンテナ４３の直下のアクセス位置まで搬送して一時停止させる。その後、第１のリードライト装置４０のアンテナ４３に電流を流して電磁界を生成し、ビジターカード３５のＩＣタグ３６に対する情報の読み出しおよび書き込みを行なう。ここでは、つり銭に相当する残高情報の書き込みを行なう。
【００７１】
遊技者は、ビジターカード３５に残高があるときは、操作部１５を操作することでパチンコ球の貸し出しを受けることができる。残高が残っている状態で精算ボタンが操作されると、残高情報をビジターカード３５のＩＣタグ３６に書き込んだ後、ビジターカード３５をビジターカード挿入口１９から排出する。
【００７２】
排出されたビジターカード３５は、たとえば、台移動して別の遊技設備機器１０のビジターカード挿入口１９に挿入することで、遊技媒体の貸し出しにその残高を利用することができる。この場合、遊技設備機器１０は、ビジターカード挿入口１９に挿入されたビジターカード３５を第１のリードライト装置４０のアクセス位置まで搬送し、残高情報の読み出しを行なう。その後は、このビジターカード３５の残高に基づく遊技媒体の貸し出しが可能になる。
【００７３】
パチンコ球の貸し出しによりビジターカード３５の残高が無くなったときは、アクセス位置にあるビジターカード３５をカード収容部４１へ搬送して回収する。
【００７４】
会員の遊技者は、遊技設備機器１０に会員カード３７とビジターカード３５の双方をセットして遊技を行なうことができる。
【００７５】
以上、本発明の実施の形態を図面によって説明してきたが、具体的な構成は実施の形態に示したものに限られるものではなく、本発明の要旨を逸脱しない範囲における変更や追加があっても本発明に含まれる。
【００７６】
たとえば、実施の形態では、隣接するパチンコ機に払出信号を送出し、そのパチンコ機からパチンコ球の払い出しを行なわせる、いわゆるＣＲサンド機を例に遊技設備機器１０を説明したが、パチンコ球の払出機構を遊技設備機器自身が有する、いわゆる現金機として構成してもよい。この場合、隣接するパチンコ機の上皿にパチンコ球を案内する排出ノズルなどが遊技設備機器の前面に設けられる。
【００７７】
第１のリードライト装置４０のアンテナ４３の指向性と第２のリードライト装置８０のアンテナ８２の指向性とはその向きが相違していればよく、相違が９０度に近いほど好ましい。なお、実施の形態では第１のリードライト装置４０を第２のリードライト装置８０の上方に近接配置したが、上下を逆に配置しても良い。また、遊技設備機器の本体ケースの形状によっては、隣り合うリードライト装置を左右や斜めに並べて配置しても良い。
【００７８】
また、実施の形態では、２台のリードライト装置を設ける場合を例示したが、隣り合うリードライト装置のアンテナの指向性を相互に異なる向きすれば、３台以上であってもかまわない。
【００７９】
遊技設備機器は、非接触型無線カードのリードライト装置を複数台備えるものであればよく、実施の形態で例示したものに限定されない。たとえば、遊技媒体の計数機などであってもよい。
【図面の簡単な説明】
【００８０】
【図１】第１のリードライト装置およびカード制御基板の概略構成および位置関係を示す説明図である。
【図２】本発明の実施の形態に係わる遊技設備機器の遊技場における設置状態の一例を示す説明図である。
【図３】本発明の実施の形態に係わる遊技設備機器を示す正面図である。
【図４】本発明の実施の形態に係わる遊技設備機器を示す左側面図である。
【図５】本発明の実施の形態に係わる遊技設備機器で使用されるビジターカードの一例を示す説明図である。
【図６】本発明の実施の形態に係わる遊技設備機器で使用される会員カードの一例を示す説明図である。
【図７】第１のリードライト装置のアンテナを示す平面図である。
【図８】図７に示すアンテナのＣ−Ｃ断面図である。
【図９】第１のリードライト装置および第２のリードライト装置の動作を制御するカード制御基板の回路構成を示すブロック図である。
【図１０】磁場Ｂとアンテナの向きとの関係を示す原理図である。
【符号の説明】
【００８１】
Ａ…電流の方向を示す矢印
Ｂ…磁場
３…パチンコ機
５…上皿
１０…遊技設備機器
１１…状態表示ランプ
１２…紙幣挿排口
１３…度数表示部
１４…表示部
１５…操作部
１６…受光部
１７…キー穴
１８…ビジターカード確認ＬＥＤ
１９…ビジターカード挿入口
２０…会員カード確認ＬＥＤ
２１…会員カード挿入口
３１…紙幣識別機
３２、３３…制御基板
３４…外部出力端子板
３５…ビジターカード
３６…ＩＣタグ
３６ａ…ビジターカードアンテナ
３７…会員カード
３８…ＩＣタグ
３８ａ…会員カードのアンテナ
４０…第１のリードライト装置
４１…カード収容部
４２…搬送部
４３…第１のリードライト装置のアンテナ
４４…アイドリングローラ
４５…繰り出しローラ
４６、４７…一対の搬送ローラ
４６ａ、４７ａ…ピンチローラ
４８…モータ
５１…第１のカードセンサ
５２…第２のカードセンサ
５３…第３のカードセンサ
５４…カード上げ機構
５５…ソレノイド
５６…アンテナ線
８０…第２のリードライト装置
８１…カード検知スイッチ
８２…第２のリードライト装置のアンテナ
８３…板ばね
９０…カード制御基板
９１…ＣＰＵ
９２…ＲＯＭ
９３…ＲＡＭ
９４…Ｉ／Ｏユニット
９５…モータドライバ
９６…ソレノイドドライバ
９７…センサアンプ
９８…第１通信ユニット
９９…第２通信ユニット
【図１】
2006006501.tif 000003
【図２】
2006006501.tif 000004
【図３】
2006006501.tif 000005
【図４】
2006006501.tif 000006
【図５】
2006006501.tif 000007
【図６】
2006006501.tif 000008
【図７】
2006006501.tif 000009
【図８】
2006006501.tif 000010
【図９】
2006006501.tif 000011
【図１０】
2006006501.tif 000012